(57)【要約】【課題】長尺パネル感を表現することができるパネルを提供する。【解決手段】パネル１は、長手方向Ｘおよび短手方向Ｙのそれぞれにおいて、一側端面に雄実１０Ａ、１０Ｂを有し他側端面に雌実２０Ａ、２０Ｂを有し、それぞれの方向において、隣接するパネル１と実接合を可能としており、パネル１間を実接合した場合に、短手方向Ｂにおける実接合部３０Ｂの上側の側端面間の隙間３２寸法が、長手方向Ｘにおける実接合部３０Ａの上側の側端面間の隙間３１寸法よりも大きくなるようにしてある。【選択図】図１
2020084656.tif 000002
【特許請求の範囲】
【請求項１】
長手方向および短手方向のそれぞれにおいて、一側端面に雄実を有し他側端面に雌実を有し、それぞれの方向において、隣接するパネルと実接合を可能としたパネルであって、
パネル間を実接合した場合に、短手方向における実接合部の上側の側端面間の隙間寸法が、長手方向における実接合部の上側の側端面間の隙間寸法よりも大きくなるようにしたことを特徴とするパネル。
【請求項２】
請求項１において、
長手方向における実接合部の上側の側端面間の隙間寸法と略同寸法幅の目地溝が、長手方向に沿って加工形成されていることを特徴とするパネル。
【請求項３】
請求項１または２において、
長手方向の端部における表面側の角部は面取り加工されていないことを特徴とするパネル。
【発明の詳細な説明】
【技術分野】
【０００１】
本発明は、長手方向および短手方向のそれぞれにおいて、一側端面に雄実を有し他側端面に雌実を有したパネルに関する。
【背景技術】
【０００２】
従来には、この種のパネルを用いてパネルの両方向のそれぞれにおいて実接合を可能としたものが種々提案されている（例えば、特許文献１参照）。
【０００３】
この種のパネルでは、長手方向、短手方向のいずれにおいても、隣接するパネルとの実接合部の上側の側端面間は突き合わさった状態となり、ほとんど隙間ができないのが通例である（特許文献１の図６および図７参照）。なお、特許文献１のものは、長手方向の端部（短辺）に設けた雄実と、短手方向の端部（長辺）に設けた雄実とでは突出寸法が異なるが、表面側では隙間なく突き合わさった状態となっている。
【０００４】
このように四辺に実を有したパネルは、特許文献１のもののように、床材に多く利用されている。
【先行技術文献】
【特許文献】
【０００５】
【特許文献１】実開平２−７９７４４号公報
【発明の概要】
【発明が解決しようとする課題】
【０００６】
しかしながら、上述したようなパネルを天井に配設する場合、床と同じ見栄えになってしまい、天井らしい意匠性を表現することはできない。
【０００７】
また、長手方向、短手方向のいずれの実接合部においても、表面に露出する継ぎ目が同程度の隙間寸法に見えるため、四周の継ぎ目により、パネルそのものの外形しか表現できず、使用するパネル以上の長尺パネル感を表現することはできない。
【０００８】
特に、例えば図４に示すように、平面寸法を１×６尺（３０３ｍｍ×１８１８ｍｍ）とした床材用のパネル１００を天井５に用いた場合、長尺感を表現することはほとんどできない。つまり、図４に示すように、長手方向に延びる目地溝１０１が形成されていても、パネル１００間の継ぎ目１０２により３０３ｍｍの短辺が直線状にそろってしまい、１×６尺物が使用してあることが容易に判別されてしまう。なお、図４中、６は壁、７は床である。
【０００９】
本発明は、このような事情を考慮して提案されたもので、その目的は、長尺パネル感を表現することができるパネルを提供することにある。
【課題を解決するための手段】
【００１０】
上記目的を達成するために、本発明のパネルは、長手方向および短手方向のそれぞれにおいて、一側端面に雄実を有し他側端面に雌実を有し、それぞれの方向において、隣接するパネルと実接合を可能としたパネルであって、パネル間を実接合した場合に、短手方向における実接合部の上側の側端面間の隙間寸法が、長手方向における実接合部の上側の側端面間の隙間寸法よりも大きくなるようにしたことを特徴とする。
【発明の効果】
【００１１】
本発明のパネルは上述した構成とされているため、長尺パネル感を表現することができる。
【図面の簡単な説明】
【００１２】
【図１】本発明の一実施形態に係るパネルの説明図である。（ａ）は同パネルの概略平面図、（ｂ）は（ａ）のＡ−Ａ線矢視一部省略拡大断面図、（ｃ）は（ａ）のＢ−Ｂ矢視一部省略拡大断面図である。
【図２】同パネルの天井への施工例を示す模式的斜視図である。
【図３】本発明の他の実施形態に係るパネルの説明図である。（ａ）は同パネルの概略平面図、（ｂ）は（ａ）のＣ−Ｃ線矢視一部省略拡大断面図、（ｃ）は（ａ）のＤ−Ｄ矢視一部省略拡大断面図である。
【図４】従来の床材を天井に使用した施工例を示す模式的斜視図である。
【発明を実施するための形態】
【００１３】
以下に、本発明の実施形態について、添付図面を参照しながら説明する。まず、以下の２種の実施形態の共通的事項について説明する。
【００１４】
これらのパネル１は、長手方向Ｘおよび短手方向Ｙのそれぞれにおいて、一側端面に雄実１０Ａ、１０Ｂを有し他側端面に雌実２０Ａ、２０Ｂを有し、それぞれの方向において、隣接するパネル１と実接合を可能としたものである。図１および図２に示すように、パネル１間を実接合した場合に、短手方向Ｙにおける実接合部３０Ｂの上側の側端面間の隙間３２寸法が、長手方向Ｘにおける実接合部３０Ａの上側の側端面間の隙間３１寸法よりも大きくなるようにしてある。
【００１５】
このパネル１は、天井５や壁６、床７などに設置することのできる板状パネルである。パネル１の説明図である図１および図３は、パネル１を、表面を上方に向け底面を下方に向けた状態の図である。以下では、この状態を基準として上下方向等を規定して説明する。なお、図２はパネル１を天井５に設置した状態を示す斜視図であり、この施工状態ではパネル１の表面が下方を向いている。
【００１６】
このパネル１は、図１（ａ）および図３（ａ）に示すように、略長方形の平板状とされる。パネル１の寸法は、幅（短辺）寸法８０ｍｍ、長さ（短辺）寸法１８１８ｍｍ、厚さ寸法５ｍｍのものを好適に利用できるが、これには限られない。
【００１７】
パネル１としては、板状基材に表面材を貼り付けたものが用いられる。板状基材としては、木質系基材で形成されたものが挙げられる。木質系材料としては例えば、合板やＬＶＬ（単板積層材）などの木質積層板、ＭＤＦ（中密度繊維板）やＨＤＦ（高密度繊維板）、パーティクルボード等の木質ボードが挙げられる。また、合成樹脂系材料など木質系材料以外の材料で形成された板状基材であってもよい。
【００１８】
表面材としては、天然木材（銘木）を加工等して形成された突板などの単板や、木目柄等の種々の柄（模様）が印刷された化粧印刷紙やオレフィン系などの合成樹脂系フィルム、石材、ガラス材が挙げられる。
【００１９】
ついで、図１に示したパネル１について、図１および図２にもとづいて詳細に説明する。
【００２０】
このパネル１の長手方向Ｘ、短手方向Ｙにおける各両側端面の一方に雄実１０Ａ、１０Ｂ、他方に雌実２０Ａ、２０Ｂが形成されている（図１（ａ）〜（ｃ）参照）。以下では、長手方向Ｘの側端部（短辺）の雄実を雄実（短辺）１０Ａと表記し、長手方向Ｘの側端部（短辺）の雌実を雌実（短辺）２０Ａと表記する。同様に、短手方向Ｙの側端部（長辺）の雄実を雄実（長辺）１０Ｂと表記し、短手方向の側端部（長辺）の雌実を雌実（長辺）２０Ｂと表記する。また、雄実側および雌実側の上下の凹凸形状の名称や、雌雄実による実接合部３０Ａ、３０Ｂについても同様に、（短辺）、（長辺）を付加して表記する。
【００２１】
図１（ｂ）は、雄実（短辺）１０Ａおよび雌実（短辺）２０Ａの縦断面を含む縦断面図である。雄実（短辺）１０Ａは厚さ方向の略中央に側方に突出した凸条とされ、その上には上側凹条（短辺）１１Ａ、下には下側凹条（短辺）１２Ａが形成されている。
【００２２】
雌実（短辺）２０Ａは、雄実（短辺）１０Ａに係合し得る形状の凹条とされる。雌実（短辺）２０Ａの上には、雄実側の上側凹条（短辺）１１Ａに係合し得る形状の上側凸条（短辺）２１Ａが形成され、下には、雌実側の下側凹条（短辺）１１Ａに係合し得る形状の下側凸条（短辺）２１Ａが形成されている。図１（ｂ）に示すように、側端面における凹凸の側方（外方）への突出寸法および内方への凹み寸法は、雄実側、雌実側間でほぼ合致している。
【００２３】
このように雌雄間で凹凸の突出、凹み寸法がほぼ合致している。そのため、設置面３上にパネル１を施工する場合、図１（ｂ）に示すように、長手方向Ｘに隣接するパネル１との実接合部（短辺）３０Ａでは、表面側において、上側凹条（短辺）１１Ａと上側凸条（短辺）２１Ａとの間の継ぎ目３１に隙間はほとんどできない。
【００２４】
一方、図１（ｃ）は、短手方向Ｙの側端部（長辺）の雄実（長辺）１０Ｂおよび雌実（長辺）２０Ｂの縦断面を示したものである。長辺側についても短辺側と同様に、雄実（長辺）１０Ｂは厚さ方向の略中央に側方に突出した凸条とされ、その上には上側凹条（長辺）１１Ｂ、下には下側凹条（長辺）１２Ｂが形成されている。
【００２５】
図１（ｃ）に示すように、上側凹条（長辺）１１Ｂの内方への凹み寸法は、上側凹条（短辺）１１Ａ（図１（ｂ）参照）の凹み寸法よりも大きい。つまり、図１（ａ）に示すように、パネル１を平面視した場合、雄実（長辺）１０Ｂは雄実（短辺）１０Ａよりも突出寸法が大きく見える。
【００２６】
また、雌実（長辺）２０Ｂは、雄実（長辺）１０Ｂに係合し得る形状の凹条とされている。雌実（長辺）２０Ｂの上には、雄実側の上側凹条（長辺）１１Ｂに係合し得る形状の上側凸条（長辺）２１Ｂが形成され、下には、雌実側の下側凹条（長辺）１２Ｂに係合し得る形状の下側凸条（長辺）２２Ｂが形成されている。
【００２７】
長辺側はこのような形状であるため、設置面３上にパネル１を施工する場合、図１（ｃ）に示すように、隣接するパネル１との実接合部（長辺）３０Ｂでは、表面側において、上側凹条（長辺）１１Ｂと上側凸条（長辺）２１Ｂとの間に隙間３２ができる。この隙間３２は、長手方向Ｘの短辺どうしの実接合部（短辺）３０Ａにおける上側凹条（短辺）１１Ａと上側凸条（短辺）２１Ａとの間の継ぎ目３１（隙間はほとんどない）（図１（ｂ）参照）にくらべて寸法は大きい。
【００２８】
このようなパネル１を天井５に設置した場合、図２のように見える。すなわち、短手方向Ｙにおける実接合部（長辺）３０Ｂ（図１（ｃ）参照）にできる側端面間の大きな寸法の隙間３２が底目地のように目立ち、短手方向Ｙに隣接するパネル１と独立、分離していることを強調できる。そのため長尺パネル感を表現することができる。特に８０ｍｍ×１８１８ｍｍのパネルを用いれば、さらに長尺感を強調することができる。
【００２９】
また、図１に示したパネル１は表面側の四辺の角部１５に面取り加工がされていないため、長手方向Ｘに隣接するパネル１との継ぎ目３１がほとんど目立たない。つまり、複数のパネル１が長手方向に連なっていても、継ぎ目３１のない、全体で１枚の長尺パネルのように見える。
【００３０】
このパネル１は、天井５や壁６、床７などに施工することが可能である。ところで、床７においては、３０３ｍｍ×１８１８ｍｍのパネル１００（図４参照）が多く用いられているが、このパネル１００を天井５や壁６に用いると違和感を覚え、すぐれた意匠性を表現できないおそれがある。
【００３１】
したがって、短手方向の実接合部（長辺）３０Ｂに大きな隙間３２ができる本パネル１は、床７に用いるよりは天井５や壁６に用いることがより適しており、そうすることで天井らしさ、壁らしさを表現することができる。
【００３２】
つぎに、図３に示したパネル１について説明する。
【００３３】
このパネル１は、長手方向Ｘ、短手方向Ｙにおける各側端面の凹凸の側方（外方）への突出の程度および内方への凹みの程度は、図１に示したパネル１のものとほぼ同じである。
【００３４】
このような形状であるため、設置面３上にパネル１を施工する場合、図３（ｃ）に示すように、短手方向Ｙに隣接するパネル１との実接合部（長辺）３０Ｂにおいては表面側には大きな隙間３２ができる。この隙間３２は、長手方向Ｘの短辺どうしの実接合部（短辺）３０Ａにおける上側凹条（短辺）１１Ａと上側凸条（短辺）２１Ａとの間の継ぎ目３１（隙間はほとんどない）（図３（ｂ）参照）にくらべて寸法は格段に大きい。この隙間３２、３１寸法の大小関係については、図１のパネル１とおおむね同様である。
【００３５】
本パネル１は、パネル１の表面に、長手方向Ｘに沿って複数の、短辺に平行な目地溝１７が加工形成されている点（図３（ａ）（ｂ）参照）と、表面側の四辺の角部１５に面取り加工がされている点（図３（ｂ）（ｃ）参照）が、図１のパネル１とは異なる点である。
【００３６】
この目地溝１７は断面Ｖ字状のもので、目地溝１７を構成する一方の傾斜面の傾斜や深さ寸法は、面取り加工がされた角部１５の傾斜面のものとほぼ同じとされる。
【００３７】
したがって、設置面３上にパネル１を施工する場合、その目地溝１７の幅寸法は、長手方向Ｘにおける実接合部（短辺）３０Ａの上側の側端面間の継ぎ目３１として露出する溝の幅寸法と略同じになる（図３（ｂ）参照）。よって、パネル１の表面を平面視したときには、図３（ｄ）のように、目地溝１７と、長手方向における実接合部（短辺）３０Ａの上側の側端面間の継ぎ目３１とはほとんど区別できなくなる。そのため、長尺パネル感を表現することができる。なお、短手方向Ｙにおける実接合部（長辺）３０Ｂの上側の側端面間の隙間３２としては、図１のものと同程度のものが露出する。
【符号の説明】
【００３８】
１              パネル
Ｘ              長手方向
Ｙ              短手方向
１０Ａ          雄実（短辺）
２０Ａ          雌実（短辺）
１０Ｂ          雄実（長辺）
２０Ｂ          雌実（長辺）
１５            角部
１７            目地溝
３０Ａ          実接合部（短辺）
３０Ｂ          実接合部（長辺）
３１            継ぎ目（隙間）
３２            隙間
【図１】
2020084656.tif 000003
【図２】
2020084656.tif 000004
【図３】
2020084656.tif 000005
【図４】
2020084656.tif 000006